(57)【要約】【課題】光源の破裂を検出することを可能にした投射型画像表示装置を提供すること。【解決手段】光源と、光源を駆動する光源駆動部と、光源の点灯時の電圧または電流を取得する光源状態取得部と、光源状態取得部の情報を基に光源の破裂を判別する光源破裂判別部と、光源の異常状態を通知する光源異常通知部と、を有し、光源破裂判別部によって光源の破裂を判別して光源異常通知部によって通知を行うことを特徴とする。【選択図】図１
2019179055.tif 000002
【特許請求の範囲】
【請求項１】
光源と、光源を駆動する光源駆動部と、光源の点灯時の電圧または電流を取得する光源状態取得部と、光源状態取得部の情報を基に光源の破裂を判別する光源破裂判別部と、光源の異常状態を通知する光源異常通知部と、を有し、
光源破裂判別部によって光源の破裂を判別して光源異常通知部によって通知を行うことを特徴とする投射型画像表示装置。
【請求項２】
光源状態取得部の情報を記録する記録部を有し、
光源点灯指示後に光源が点灯しなかった場合に光源破裂判別部が前回の光源点灯時の光源電圧または電流の状態からランプの破裂を判別することを特徴とする請求項１に記載の投射型画像表示装置。
【請求項３】
記録部は光源の正常動作電圧または電流の範囲を有し、光源破裂判別部は光源点灯指示後に光源が不点灯であった時に前回の光源点灯時の光源電圧または電流が急激に正常動作電圧または電流の範囲を超えた場合は光源が破裂した可能性があると判別することを特徴とする請求項１又は請求項２に記載の投射型画像表示装置。
【請求項４】
光源は高圧放電灯であることを特徴とする請求項１乃至請求項３の何れか一項に記載の投射型画像表装置。
【請求項５】
光源は定電力で駆動されることを特徴とする請求項１乃至請求項４の何れか一項に記載の投射型画像表装置。
【発明の詳細な説明】
【技術分野】
【０００１】
本発明は、投射型画像表示装置に関し、特に光源の破裂検知に関する。
【背景技術】
【０００２】
投射型画像表示装置の光源には主に高圧水銀ランプが使用されている。高圧水銀ランプは性質上、使用中にランプが破裂してしまうことがある。一般的に投射型画像表示装置のランプが破裂した場合はランプエラー等のエラー通知によりユーザがランプに異常があることを確認しランプの交換を行う。
【０００３】
しかしながら、その他の原因でランプが故障してしまっても一括りでランプエラーとして扱っていたため、ユーザはランプが破裂しているか判別できなかった。ランプ破裂時はランプの破片が機内で飛散していることがあるので、何も知らないでランプ交換を行うとランプを機外に取り出す時に破片が飛び出してしまう場合があった。
【０００４】
よってランプ破裂時はランプ破裂のエラー通知を行うことが求められるが、特許文献１や、特許文献２のように光源の寿命や故障の可能性の検出は行えるが破裂自体の検出を行う手段がなかった。
【先行技術文献】
【特許文献】
【０００５】
【特許文献１】特開２００５−１２８４０２号公報
【特許文献２】特開２００５−８５６２９号公報
【発明の概要】
【発明が解決しようとする課題】
【０００６】
上述の特許文献１、２に開示された従来技術では、光源の破裂自体の検出ができない。
【０００７】
そこで、本発明の目的は、光源の破裂を検出することを可能にした投射型画像表示装置を提供することにある。
【課題を解決するための手段】
【０００８】
上記の目的を達成するために、本発明に係る投射型画像表示装置は、
光源と、光源を駆動する光源駆動部と、光源の点灯時の電圧または電流を取得する光源状態取得部と、光源状態取得部の情報を基に光源の破裂を判別する光源破裂判別部と、光源の異常状態を通知する光源異常通知部と、を有し、光源破裂判別部によって光源の破裂を判別して光源異常通知部によって通知を行うことを特徴とする。
【発明の効果】
【０００９】
本発明によれば、光源の破裂を検出することを可能にした投射型画像表示装置を提供することができる。
【図面の簡単な説明】
【００１０】
【図１】プロジェクタの構成図
【図２】光源破裂検知の動作フロー
【発明を実施するための形態】
【００１１】
以下に、本発明の好ましい実施の形態を、添付の図面に基づいて詳細に説明する。
【実施例１】
【００１２】
以下、図１を参照して、本発明の第１の実施例について説明する。
図１は、本発明の一実施例に係るプロジェクタ１（投射型画像表示装置）の構成を示している。プロジェクタ１は光源部１０、光源駆動部１１、光源状態取得部１２、光源破裂判別部１３、光源異常通知部１４、記録部１５、電源部１６、画像入力部１７、画像処理部１８、画像形成部１９、制御部２０で構成されている。
【００１３】
光源部１０は、高圧放電灯であり、光源駆動部１１によって点灯される。
【００１４】
光源駆動部１１は、光源部１０の駆動を行い、点灯中は定電力で駆動させることを特徴としている。
【００１５】
光源状態取得部１２は、光源部１０の点灯中の電圧及び電流と、光源部１０の点灯及び不点灯状態を光源駆動部１１より取得する。
【００１６】
光源破裂判別部１３は、光源部１０の点灯が失敗した場合、前回の光源部１０の電圧値及び光源部１０の正常動作範囲電圧値から光源部１０の破裂を判別する機能を有する。
【００１７】
光源異常通知部１４は、光源部１０の異常状態をユーザに通知する機能を有する。
【００１８】
記録部１５は、光源状態取得部１２の情報及び光源部１０の正常動作電圧及び電流を記録する機能を有する。
【００１９】
電源部１６は、プロジェクタ１の各部への給電を行う。
【００２０】
画像入力部１７は、外部からの画像信号を入力する機能を有する。
【００２１】
画像処理部１８は、入力された画像信号を変換し画像形成部１９へ出力する機能を有する。
【００２２】
画像形成部１９は、画像処理部１８より入力された画像信号を投射画像に形成する機能を有する。
【００２３】
制御部２０は、光源状態取得部１２、光源破裂判別部１３、記録部１５、画像処理部１８を有し、各部の制御を行う。
【００２４】
次に図２を参照し、第１の実施例におけるプロジェクタ１の動作フローを説明する。プロジェクタ１が光源点灯指令を受けると、本実施例の動作フローが開始される。
【００２５】
ステップ１０１では、光源点灯指示を受けて、光源駆動部１１が光源部１０の点灯処理を行いステップ１０２へ移行する。
【００２６】
ステップ１０２では光源状態取得部１２より光源部１０の点灯状態を取得し、点灯していればステップ１０３、不点灯であればステップ１０６へ移行する。
【００２７】
ステップ１０３では、現在の光源部１０の電圧を取得し記録部１５に記録して、ステップ１０４へ移行する。
【００２８】
ステップ１０４では光源状態取得部１２より光源部１０の点灯状態を取得し、点灯していればステップ１０５、不点灯であればステップ１０７へ移行する。
【００２９】
ステップ１０５では、光源部１０の消灯指示を確認し、消灯指示がある場合はステップ１０９、消灯指示がない場合はステップ１０３へ移行する。
【００３０】
ステップ１０６では、光源破裂判別部１３により、前回点灯時の光源部１０の電圧の状態を確認する。前回点灯時の光源部１０の電圧が記録部１５に記録されている正常動作電圧範囲を急激な傾きで超えた場合、ランプが破裂した可能性があると判断する。緩やかな傾きで正常動作電圧範囲を超えた場合は光源部１０の電極の劣化の可能性が高いので破裂とは判断しない。光源部１０が破裂したと判別した場合はステップ１０８、破裂でないと判別した場合はステップ１０７へ移行する。
【００３１】
ステップ１０７では、光源異常通知部１４よりユーザに光源部１０が破裂以外の異常状態であることを通知し、ステップ１０９へ移行する。
【００３２】
ステップ１０８では、光源異常通知部１４よりユーザに光源部１０が破裂状態であることを通知し、ステップ１０９へ移行する。
【００３３】
ステップ１０９では光源部１０の消灯処理を行い、動作フローを終了する。
【００３４】
本動作フローに関し、光源破裂状態の検出パラメータは電圧であるが電流に置き換えても同様の効果が得られる。
【００３５】
以上、本発明の好ましい実施形態について説明したが、本発明はこれらの実施形態に限定されず、その要旨の範囲内で種々の変形及び変更が可能である。
【符号の説明】
【００３６】
１  プロジェク、１０  光源部、１１  光源駆動部、１２  光源状態取得部、
１３  光源破裂判別部、１４  光源異常通知部、１５  記録部、
１６  電源部、１７  画像入力部、１８  画像処理部、１９  画像形成部、
２０  制御部
【図１】
2019179055.tif 000003
【図２】
2019179055.tif 000004